(57)【要約】【課題】操作モードの選択により操作の簡易化を図ると同時に、使用者の利便性の低下を防止し得るコンテンツ再生装置を提供する。【解決手段】光ディスク107からコンテンツを読み出すディスクコントローラ109と、読み出されたデータに所定の処理を施すデータ処理部106と、これらコントローラおよび処理部を制御バスを介して制御する制御部101と、この制御部を介して所定の再生動作および操作モードの選択を、直接に行う本体キー部102および遠隔で行うリモコンキー部10と、制御部に接続されて選択された操作モード情報を記憶し得る第２記憶部104とを具備し、操作モードとして、少なくとも、全ての操作が可能な通常操作モードおよび再生時に要求されるキー操作を制御部側で自動的に実行可能な簡易操作モードとを備え、且つ制御部にて、選択された操作モードに応じた所定動作についての各キー部からのキー操作を受け付けないようにしたものである。【選択図】      図２
2006134451.tif 000002
【特許請求の範囲】
【請求項１】
記録媒体に記録されたコンテンツを再生する再生装置であって、
記録媒体からコンテンツのデータを読み出すデータ読出し部と、このデータ読出し部にて読み出されたデータに所定の処理を施すデータ処理部と、少なくともこれらデータ読出し部およびデータ処理部を制御バスを介して制御する制御部と、この制御部を介して所定の再生動作および操作モードの選択を、直接に行う本体キー操作部および遠隔で行う遠隔キー操作部と、上記制御部に接続されて制御プログラムが格納されるとともに選択された操作モード情報を記憶し得る記憶部とを具備するとともに、
操作モードとして、少なくとも、全ての操作が可能な通常操作モードおよび再生時に要求されるキー操作を制御部側で自動的に実行可能な簡易操作モードとを備え、
且つ上記制御部にて、選択された操作モードに応じた所定動作についての上記各操作部からのキー操作を排除するようにしたことを特徴とするコンテンツ再生装置。
【請求項２】
請求項１に記載のコンテンツ再生装置を用いてコンテンツを再生する方法であって、
制御部により、記録媒体から読み出されたコンテンツを解析し、その内容に応じて必要となるキー操作の一部を自動的に実行するとともに、
各操作部での当該必要となるキー操作の一部を受け付けないようにすることを特徴とするコンテンツ再生方法。
【請求項３】
請求項１に記載のコンテンツ再生装置を用いてコンテンツを再生する方法であって、
制御部により、記録媒体からコンテンツを読み出すとともに、メニューコンテンツの有・無またはコンテンツ本体部を示すタイトルを解析して、その内容に応じて、必要となるキー操作の一部を自動的に実行してコンテンツを再生する際に、コンテンツの本編を再生することを特徴とするコンテンツ再生方法。
【請求項４】
再生時間が最も長いタイトルを、コンテンツの本編として再生することを特徴とする請求項３に記載のコンテンツ再生方法。
【請求項５】
先頭に記録されているタイトルを、コンテンツの本編として再生することを特徴とする請求項３に記載のコンテンツ再生方法。
【請求項６】
再生装置に再生用言語が設定されている場合、当該設定された言語とコンテンツに記録されているタイトルに係る言語とが一致したタイトルを、コンテンツの本編として再生することを特徴とする請求項３に記載のコンテンツ再生方法。
【請求項７】
再生時間が最も長いタイトル、先頭に記録されているタイトル、および設定された言語と一致するタイトルに優先順位をつけて、コンテンツの本編として再生することを特徴とする請求項３に記載のコンテンツ再生方法。
【請求項８】
選択された操作モードの情報を不揮発性メモリに保存するようにしたことを特徴とする請求項１に記載のコンテンツ再生装置。
【請求項９】
選択された操作モードを不揮発性メモリに保存せずに、一時的に、他の操作モードを選択し得る状態となるようにしたことを特徴とする請求項８に記載のコンテンツ再生装置。
【請求項１０】
選択された操作モードを表示装置にて表示させるようにしたことを特徴とする請求項１に記載のコンテンツ再生装置。
【請求項１１】
コンテンツの内容に応じて、キー操作の要否を判断する機能を有するとともに、再生動作の過程でキー操作が必要と判断された場合に、操作モードを自動にて切り替えるようにしたことを特徴とする請求項１に記載のコンテンツ再生装置。
【請求項１２】
操作モードを自動で切り替える際に、その切り替えを使用者に通知するように構成したことを特徴とする請求項１１に記載のコンテンツ再生装置。
【請求項１３】
選択された操作モードにおいて、操作可能なキーと操作不可能なキーとを区別して表示装置に表示するようにしたことを特徴とする請求項１に記載のコンテンツ再生装置。
【請求項１４】
記録媒体に記録されたコンテンツに応じてキー操作の要否を判断する機能を有するとともに、再生動作の過程でキー入力が要と判定された場合、選択された操作モードで操作可能なキーの情報を使用者に通知するようにしたことを特徴とする請求項１に記載のコンテンツ再生装置。
【発明の詳細な説明】
【技術分野】
【０００１】
光ディスクやハードディスクなどの記録媒体に記録された画像や音声データなどのコンテンツの再生装置およびその再生方法に関する。
【背景技術】
【０００２】
近年の電子機器には、様々な便利な機能が具備されており、使用者は本体キーやリモコンキーによる操作にて、使用目的に応じた機器動作、すなわち動作機能を行わせることができる。
【０００３】
しかし、動作機能が増えると、キー操作が複雑になり、使用者が本来使いたい機能が得られるまでに、幾つものキー操作を必要とする場合がある。
このように幾つものキー操作を必要とする場合、通常、操作説明書を読みながら操作を行うことになる。また、操作説明書を読まずに操作を行うと、余分なキー操作や誤ったキー操作を行うことになり、目的の機能を利用し得る段階までに辿り着かない場合もあり、使用者にとっては不満を感じることになる。
【０００４】
したがって、このような使用者の不満を解消するために、操作の簡易化や操作の補助が望まれている。
従来、画像や音声データなどのコンテンツの再生装置ではなく、アンプなどの電子機器においては、操作の簡略化が図られており、本体キーの操作やリモコンキーの操作の負担の低減化が図られている（例えば、特許文献１参照）。
【０００５】
このような構成においては、その起動時に、リモコンキーの操作によって動作を切り替える制御回路を有し、操作に応じて装置全体の動作を切り替えるとともにリモコンからの当該操作の一部が受け付けられないようにされており、操作の複雑さを排除する提案がなされている。
【０００６】
例えば、リモコンなどの操作の一部を受け付けないようにすることで、通常の使用時では不要な操作、例えば一度設定を終えると、それ以降は操作の必要がない機器の初期設定における選択などの操作を行う必要がなくなり、また特殊な再生動作、例えばスロー再生やコマ送り再生など、殆ど、使い慣れた使用者しか用いないような機能を制限することができる。
【特許文献１】特開平７−５７４４２号公報
【発明の開示】
【発明が解決しようとする課題】
【０００７】
上述した従来の構成によると、操作の複雑さを低減するために、リモコン操作により単一動作状態への切り替えを行うことはできるが、使用者が希望する操作の複雑さの度合いが異なるため、単一的な動作の切り替えを行うと、使用条件によっては操作ができなくなるものがあり、利便性が低下する惧れがある。また、キー操作の制限を行うと、使用者に対し、一律に機能が制限されるというデメリットがある。さらに、リモコン操作の入力制限を一度だけ起動時に行った後で、切り替えができなくなると、動作状況が変化して、動作途中で本来のキー入力が必要となった場合に、それ以降の動作を行うことができなくなってしまうという不都合も生じる。
【０００８】
そこで、上記課題を解決するために、本発明は、操作モードの選択により操作の簡易化を図ると同時に、使用者の利便性の低下を防止し得るコンテンツ再生装置およびその再生方法を提供することを目的とする。
【課題を解決するための手段】
【０００９】
上記課題を解決するため、本発明の請求項１に係るコンテンツ再生装置は、記録媒体に記録されたコンテンツを再生する再生装置であって、
記録媒体からコンテンツのデータを読み出すデータ読出し部と、このデータ読出し部にて読み出されたデータに所定の処理を施すデータ処理部と、少なくともこれらデータ読出し部およびデータ処理部を制御バスを介して制御する制御部と、この制御部を介して所定の再生動作および操作モードの選択を、直接に行う本体キー操作部および遠隔で行う遠隔キー操作部と、上記制御部に接続されて制御プログラムが格納されるとともに選択された操作モード情報を記憶し得る記憶部とを具備するとともに、
操作モードとして、少なくとも、全ての操作が可能な通常操作モードおよび再生時に要求されるキー操作を制御部側で自動的に実行可能な簡易操作モードとを備え、
且つ上記制御部にて、選択された操作モードに応じた所定動作についての上記各操作部からのキー操作を排除するようにしたものである。
【００１０】
また、請求項２に係るコンテンツ再生方法は、請求項１に記載のコンテンツ再生装置を用いてコンテンツを再生する方法であって、
制御部により、記録媒体から読み出されたコンテンツを解析し、その内容に応じて必要となるキー操作の一部を自動的に実行するとともに、
各操作部での当該必要となるキー操作の一部を受け付けないようにする方法である。
【００１１】
また、請求項３に係るコンテンツ再生方法は、請求項１に記載のコンテンツ再生装置を用いてコンテンツを再生する方法であって、
制御部により、記録媒体からコンテンツを読み出すとともに、メニューコンテンツの有・無またはコンテンツ本体部を示すタイトルを解析して、その内容に応じて、必要となるキー操作の一部を自動的に実行してコンテンツを再生する際に、コンテンツの本編を再生する方法である。
【００１２】
また、請求項４に係るコンテンツ再生方法は、請求項３に記載の再生方法において、再生時間が最も長いタイトルを、コンテンツの本編として再生する方法である。
また、請求項５に係るコンテンツ再生方法は、請求項３に記載の再生方法において、先頭に記録されているタイトルを、コンテンツの本編として再生する方法である。
【００１３】
また、請求項６に係るコンテンツ再生方法は、請求項３に記載の再生方法において、再生装置に再生用言語が設定されている場合、当該設定された言語とコンテンツに記録されているタイトルに係る言語とが一致したタイトルを、コンテンツの本編として再生する方法である。
【００１４】
また、請求項７に係るコンテンツ再生方法は、請求項３に記載のコンテンツ再生方法において、再生時間が最も長いタイトル、先頭に記録されているタイトル、および設定された言語と一致するタイトルに優先順位をつけて、コンテンツの本編として再生する方法である。
【００１５】
また、請求項８に係るコンテンツ再生装置は、請求項１に記載の再生装置において、選択された操作モードの情報を不揮発性メモリに保存するようにしたものである。
また、請求項９に記載のコンテンツ再生装置は、請求項８に記載のコンテンツ再生装置において、選択された操作モードを不揮発性メモリに保存せずに、一時的に、他の操作モードを選択し得る状態となるようにしたものである。
【００１６】
また、請求項１０に係るコンテンツ再生装置は、請求項１に記載の再生装置において、選択された操作モードを表示装置にて表示させるようにしたものである。
また、請求項１１に記載のコンテンツ再生装置は、請求項１に記載の再生装置において、コンテンツの内容に応じて、キー操作の要否を判断する機能を有するとともに、再生動作の過程でキー操作が必要と判断された場合に、操作モードを自動にて切り替えるようにしたものである。
【００１７】
また、請求項１２に記載のコンテンツ再生装置は、請求項１に記載の再生装置において、操作モードを自動で切り替える際に、その切り替えを使用者に通知するように構成したものである。
【００１８】
また、請求項１３に係るコンテンツ再生装置は、請求項１に記載の再生装置において、選択された操作モードでの操作可能なキーと操作不可能なキーとを区別して表示装置に表示するようにしたものである。
【００１９】
さらに、請求項１４に係るコンテンツ再生方法は、請求項１に記載の再生装置において、記録媒体に記録されたコンテンツに応じてキー操作の要否を判断する機能を有するとともに、再生動作の過程でキー入力が要と判定された場合、選択された操作モードで操作可能なキーの情報を使用者に通知するようにしたものである。
【発明の効果】
【００２０】
上述した各コンテンツ再生装置および再生方法によると、操作モードに応じて使用可能なキーを使用者が選択できるとともに、コンテンツの内容に応じて、制御部が、使用可能なキーを決定することができるので、例えば使用者の熟練度に応じたキー操作が可能となり、操作の簡易化を図ると同時に利便性が向上する。
【００２１】
また、操作モードについても、その途中で、他の最適な操作モードに自動で切り替えるようにしたので、機器の動作状況に応じた適切な操作を行うことができる。
さらに、各操作モードにおいて、使用可能なキーを表示し得るようにしたので、その都度、複雑な操作説明書を読む必要がなく、使い勝手が向上する。
【発明を実施するための最良の形態】
【００２２】
［実施の形態］
以下、本発明の実施の形態に係るコンテンツ再生装置を、図面を参照しながら説明する。
【００２３】
図１は、本発明に係るコンテンツ再生装置を用いたコンテンツ再生システムの概略全体構成を示す図で、図２は同コンテンツ再生装置の内部構成を示すブロック図である。
図１に示すように、このコンテンツ再生装置（以下、単に、再生装置という）１００は、光ディスク（例えば、ＤＶＤディスクなど）に記録された映像データ、音声データなどのコンテンツを再生するもので、当然に、その再生データは、モニターなどの表示装置２０およびスピーカ３０に送られて、コンテンツを観賞し得るように構成されている。
【００２４】
ところで、ＤＶＤなどの光ディスク（以下、単に、ディスクという）１０７には、当然ながら、その記録内容を効率良く、表示および再生し得るように、メニューコンテンツが記録されるとともに、コンテンツの本体部がそれぞれ所定のタイトルでもって記録されている。
【００２５】
このコンテンツ再生装置１００は、図２に示すように、装置全体の制御を行う制御部（例えば、ＣＰＵが用いられる）１０１と、この制御部１０１に直接接続された本体キー部（本体キー操作部）１０２と、上記制御部１０１に接続されて当該制御部１０１を動作させるプログラムが格納された第１記憶部（ＲＯＭであり、不揮発性メモリーが用いられている）１０３と、動作状態などの変数を格納する第２記憶部（ＲＡＭが用いられている）１０４と、上記制御部１０１に制御バス１０５を介して接続されて映像および音声データに対して所定の処理（例えば、デコーダ処理）を行うデータ処理部１０６とが具備されている。このデータ処理部１０６にて得られた映像データおよび音声データが、表示装置２０およびスピーカ３０に出力される。
【００２６】
また、上記再生装置１００には、使用者が当該再生装置１００の遠隔操作を行うためのリモコンキー部（遠隔キー操作部）１０が具備されている。
なお、再生装置１００のディスクトレイ４０にディスク１０７が挿入されると、再生装置１００に設けられたピックアップ１０８を介して映像データおよび音声データが読み出され、これらデータはディスクコントローラ１０９を介してデータ処理部１０６に送られる。なお、ピックアップ１０８、ディスクコントローラ１０９などにより、データ読出し部が構成されている。
【００２７】
上記再生装置１００において、使用者が遠隔操作により操作モードを選択すると、制御部１０１でその内容が解析され、したがってリモコンキー部１０から操作モードの切り替えが通知されたことになり、この選択された操作モードが第２記憶部１０４に格納される。
【００２８】
そして、この第２記憶部１０４に格納された操作モードに応じて、制御部１０１は装置全体の動作制御を行うとともに、制御部１０１はリモコンキー部１０および本体キー部１０２からの入力キーの受付けの制限を行う（請求項１に記載の内容に対応）。
【００２９】
さらに、制御部１０１は、ディスクコントローラ１０９を介してディスク１０７からコンテンツ本体部である映像データおよび音声データの読み出しを行い、そしてこの読み出されたコンテンツのデータ解析を行うとともに、その解析結果に基づき、装置全体の制御を行う。
【００３０】
図３は、コンテンツ再生装置１００において、選択可能な操作モード５０の内容を示している。
すなわち、操作モードとしては、通常操作モード５１、簡易機能モード５２、簡易操作モード５３および機能カスタマイズモード５４を有しており、これら各モードでの情報については、第１記憶部１０３に設けられた操作モード格納領域に格納されている。
【００３１】
以下、各操作モードの情報について説明する。
通常操作モード５１では、コンテンツ再生装置（以下、単に、再生装置という）１００の全機能およびキー入力を使用することができる。また、簡易機能モード５２では、特殊なキー操作などは無効にされており、したがって特殊な機能については利用できないようにされている。また、簡易操作モード５３では、ディスクの再生に要求されるキー入力を再生装置１００側にて自動で行い、使用者側でキー入力を行う必要がないようにされるとともに、特殊なキー操作などが制限されており、やはり、特殊な機能については利用することができないようにされている。さらに、機能カスタマイズモード５４では、再生装置１００で利用できる全機能の中から使用者が使用したい機能を選択し得るようにされており、それ以外の機能については利用できないように（無効に）されている。
【００３２】
上記再生装置１００において、操作モード５０が簡易操作モード５３である場合について、より詳しく説明する。
すなわち、制御部１０１は、コンテンツのデータ解析を行い、解析した結果に基づき、本来、必要とされる操作の一部を当該制御部１０１自身の判断で行うとともに、その操作に係る使用者からのキー入力が排除される（請求項２に記載の内容に対応）。
【００３３】
例えば、ディスク１０７がディスクトレイ４０に挿入されて再生が開始され、メニューコンテンツまで再生が行われると、使用者は再生装置１００に対してキー操作で次の指示を与える必要があるが、操作モード５０が簡易操作モード５３である場合、再生装置１００は、使用者から本編（再生したいコンテンツ本体部）の再生開始の操作がなされたと判断し、使用者が再生装置１００に対してキー操作により次の指示を与えなくても本編の再生が開始される。
【００３４】
例えば、複数の言語に対応したディスク１０７を再生装置１００で再生する場合、使用者は、どの言語で再生するかを選択するが、操作モード５０が簡易操作モード５３である場合、第１記憶部１０３に設定されている言語に基づき再生が行われる。
【００３５】
また、使用者は、ディスク１０７に対して、音声データ（オーディオ）の選択設定などを行うが、操作モード５０が複雑な操作を排除する簡易操作モード５３である場合、再生装置１００側では、第１記憶部１０３に保存されている設定値が用いられる。
【００３６】
なお、ディスク１０７に対する選択設定はこれらに限らず、使用者は再生装置１００の映像データおよび音声データ以外の細部の設定についても行うことができ、また操作モード５０が簡易操作モード５３である場合には、再生装置１００の設定値として、第１記憶部１０３に保存されている設定値を用いることもできる。
【００３７】
次に、コンテンツの再生方法を、図４〜図７に基づき説明する。
図４は、ディスクから読み出したデータを使用したメニューコンテンツの有・無の決定方法を示すフローチャートである。
【００３８】
ディスク１０７が再生装置１００のディスクトレイ４０に挿入されると、当該ディスク１０７からデータが読み出される（Ｓ００１）。
読み出されたデータの中にＶＭＧＭ＿ＶＯＢＳ(メニュー用ＶＯＢＳ)が有るか否かが判断され（Ｓ００２）、有ればメニューコンテンツ「有」と判断される（Ｓ００４）。
【００３９】
読み出されたデータの中にＶＭＧＭ＿ＶＯＢＳ(メニュー用ＶＯＢＳ)が無く（Ｓ００２）、ＶＴＳＭ＿ＶＯＢＳ(メニュー用ＶＯＢＳ)が有れば（Ｓ００３）、メニューコンテンツ「有」と判断される（Ｓ００４）。
【００４０】
読み出されたデータの中にＶＭＧＭ＿ＶＯＢＳ(メニュー用ＶＯＢＳ)が無く（Ｓ００２）、ＶＴＳＭ＿ＶＯＢＳ(メニュー用ＶＯＢＳ)も無ければ（Ｓ００３）、メニューコンテンツ「無」と判断される（Ｓ００５）。
【００４１】
図５は、ディスクを再生しながらメニューコンテンツの有・無の決定方法を示すフローチャートである。
ディスク１０７が再生装置１００のディスクトレイ４０に挿入されてデータが再生され（Ｓ００６）、ＦＰ＿ＰＧＣの再生後（Ｓ００７）にＴＴ＿ＰＧＣに移行すれば（Ｓ００８）、メニューコンテンツ「無」と判断される（Ｓ００９）。ＴＴ＿ＰＧＣ以外に移行すれば（Ｓ００８）、メニューコンテンツ「有」と判断される（Ｓ０１０）。
【００４２】
図６〜図８は、ディスク１０７に記録されたコンテンツに応じて、再生装置１００の操作モード５０が簡易操作モード５３である場合に、メニューコンテンツで使用者が行わなければいけない操作を排除し、再生装置１００によりコンテンツの本編を選択し再生する場合の動作を示すフローチャートである（請求項３に記載の内容に相当する）。
【００４３】
図６は、ディスクを再生装置で再生する場合の第１フローチャートを示す。
ディスク１０７がディスクトレイ４０に挿入されると（Ｓ０１１）、ディスク１０７の再生が始まり（Ｓ０１２）、メニューコンテンツの有・無が検索される（Ｓ０１３）。
【００４４】
メニューコンテンツが有る場合は、メニュー画面に移行し（Ｓ０１４）、コンテンツ本体部すなわち本編タイトルの検索が行われる（Ｓ０１５）。メニューコンテンツが無い場合は、メニュー画面に移行せず、本編タイトルの検索が行われる（Ｓ０１５）。
【００４５】
本編タイトルの検索が行われた結果、該当するタイトルが有れば（Ｓ０１６）、本編の再生を開始する（Ｓ０１７）。本編タイトルの検索を行った結果、該当するタイトルが無ければ（Ｓ０１６）、最初すなわち先頭のタイトル１の再生を開始する（Ｓ０１８）（請求項５に記載の内容に対応）。
【００４６】
本編の再生中に操作モードの変更が無い場合（Ｓ０１９）、本編の再生が完了すれば（Ｓ０２０）、本編の再生を終了して（Ｓ０２１）、再生装置１００を停止する（Ｓ０２２）。本編の再生が未完了であれば（Ｓ０２０）、本編の再生が継続される。
【００４７】
本編の再生中に操作モードの変更が有る場合には（Ｓ０１９）、操作モードの変更を行い（Ｓ０２３）、変更した操作モードで再生が継続される（Ｓ０２４）。
図７は、ディスクを再生装置で再生する場合の第２フローチャートを示す。
【００４８】
ディスク１０７がディスクトレイ４０に挿入されると（Ｓ０１１）、再生が始まり（Ｓ０１２）、メニューコンテンツの有・無が検索される（Ｓ０１３）。
メニュコンテンツが有る場合はメニュー画面に移行し（Ｓ０１４）、本編タイトルの検索が行われる（Ｓ０１５）。メニューコンテンツが無い場合はメニュー画面に移行せず、本編タイトルの検索が行われる（Ｓ０１５）。
【００４９】
本編タイトルの検索を行った結果、該当するタイトルが有れば（Ｓ０１６）、本編の再生が開始される（Ｓ０１７）。本編タイトルの検索を行った結果、該当するタイトルが無ければ（Ｓ０１６）、先頭のタイトル１の再生が開始される（Ｓ０１８）。
【００５０】
本編の再生中に操作モードの変更が無い場合（Ｓ０１９）、本編の再生が完了すれば（Ｓ０２０）、本編の再生を終了し（Ｓ０２１）、メニューコンテンツを表示する（Ｓ０２５）。本編の再生が未完了であれば（Ｓ０２０）、本編の再生を継続する。
【００５１】
本編の再生中に操作モードの変更が有る場合には（Ｓ０１９）、操作モードの変更を行い（Ｓ０２３）、変更した操作モードで再生が継続される（Ｓ０２４）。
図８に、ディスクを再生装置で再生する場合の第３フローチャートを示す。
【００５２】
すなわち、ディスク１０７が再生装置１００に挿入されると（Ｓ０１１）、ディスク１０７の再生が始まり（Ｓ０１２）、メニューコンテンツの有・無が検索される（Ｓ０１３）。
【００５３】
メニューコンテンツが有る場合はメニュー画面に移行し（Ｓ０１４）、本編タイトルの検索を行う（Ｓ０１５）。メニューコンテンツが無い場合は、メニュー画面に移行せず、本編タイトルの検索を行う（Ｓ０１５）。
【００５４】
本編タイトルの検索を行った結果、該当するタイトルが有れば（Ｓ０１６）、本編の再生を開始する（Ｓ０１７）。本編タイトルの検索を行った結果、該当するタイトルが無ければ（Ｓ０１６）、先頭のタイトル１の再生を開始する（Ｓ０１８）。
【００５５】
本編の再生中に操作モードの変更が無い場合（Ｓ０１９）、本編の再生が完了すれば（Ｓ０２０）、本編の再生を終了して（Ｓ０２１）ディスクトレイ４０をオープンする（Ｓ０２６）。本編の再生が未完了であれば（Ｓ０２０）、本編の再生を継続する。
【００５６】
本編の再生中に操作モードの変更が有る場合には（Ｓ０１９）、操作モードの変更を行い（Ｓ０２３）、変更した操作モードで再生を継続することもできる（Ｓ０２４）。
次に、より詳しいコンテンツの再生方法を、図９〜図１１に基づき説明する。
【００５７】
図９はディスク１０７内のコンテンツ情報であるビデオ・タイトル・セット（ＶＴＳＩ）６０の構成を示し、図１０はビデオ・タイトル・セット・タイム・マップ・テーブル（ＶＴＳ＿ＴＭＡＰＴ）７０の構成を示す。
【００５８】
ビデオ・タイトル・セット・タイム・マップ・テーブル（ＶＴＳ＿ＴＭＡＰＴ）７０は、ディスク内のビデオ・タイトル・セット（ＶＴＳＩ）６０の中に含まれている。
図１１はビデオ・タイトル・セット・タイム・マップ＃ｎ（ＶＴＳ＿ＴＭＡＰ＃ｎ）のデータを使用して、各タイトルの再生時間が最も長いタイトルを選択し、再生時間が最も長いタイトルをコンテンツの本編として選択する場合の本編選択方法を示すフローチャートである（請求項４に記載の内容に対応）。
【００５９】
まず、変数ｎに１を代入し（Ｓ０２７）、本編をタイトルｎと仮定する（Ｓ０２８）。次に、次タイトルのビデオ・タイトル・セット・タイム・マップ＃ｎ＋１（ＶＴＳ＿ＴＭＡＰ＃ｎ＋１）が存在し（Ｓ０２９）、且つビデオ・タイトル・セット・タイム・マップ＃ｎ（ＶＴＳ＿ＴＭＡＰ＃ｎ）より取得したタイトルｎの再生時間より、ビデオ・タイトル・セット・タイム・マップ＃ｎ＋１（ＶＴＳ＿ＴＭＡＰ＃ｎ＋１）より取得したタイトルｎ＋１の再生時間の方が長い場合（Ｓ０３０）、本編を次のタイトルであるタイトルｎ＋１にする（Ｓ０３１）。次に、変数ｎを１つ増やし（Ｓ０３２）、次タイトルのビデオ・タイトル・セット・タイム・マップ＃ｎ＋１（ＶＴＳ＿ＴＭＡＰ＃ｎ＋１）が存在するか否かを検索する（Ｓ０２９）。
【００６０】
ここで、次タイトルのビデオ・タイトル・セット・タイム・マップ＃ｎ＋１（ＶＴＳ＿ＴＭＡＰ＃ｎ＋１）が存在する場合は、ビデオ・タイトル・セット・タイム・マップ＃ｎ（ＶＴＳ＿ＴＭＡＰ＃ｎ）より取得したタイトルｎの再生時間と、ビデオ・タイトル・セット・タイム・マップ＃ｎ＋１（ＶＴＳ＿ＴＭＡＰ＃ｎ＋１）より取得したタイトルｎ＋１の再生時間を比較し（Ｓ０３０）、仮の本編を入れ替える（Ｓ０３１）。タイトルがそれ以上存在しない場合には（Ｓ０２９）、仮の本編を本編として選択する（Ｓ０３３）。
【００６１】
次に、再生時間が最も長いタイトルが複数存在する場合の再生方法について説明する（請求項５に記載の内容に対応）。
まず、図１０に図示されているビデオ・タイトル・セット・タイム・マップ・テーブル（ＶＴＳ＿ＴＭＡＰＴ）７０の先頭のタイム・マップであるビデオ・タイトル・セット・タイム・マップ＃１（ＶＴＳ＿ＴＭＡＰ＃１）のタイトルを本編として選択する。
【００６２】
このときの選択条件は、上述したように再生時間が最も長いタイトルをコンテンツの本編として選択する場合で且つ全てのタイトルの再生時間が同じ長さである場合または最も長い再生時間のタイトルが２つ以上存在する場合に、先頭のタイム・マップであるビデオ・タイトル・セット・タイム・マップ＃１（ＶＴＳ＿ＴＭＡＰ＃１）を本編とするものである。
【００６３】
そして、上述した選択条件に限らず、他にもコンテンツのタイム・マップであるビデオ・タイトル・セット・タイム・マップ＃ｎ（ＶＴＳ＿ＴＭＡＰ＃ｎ）を全て読み取れなかった場合においても、先頭のタイム・マップであるビデオ・タイトル・セット・タイム・マップ＃１（ＶＴＳ＿ＴＭＡＰ＃１）のタイトルを本編と選択するようにしてもよい。
【００６４】
次に、上記とは異なる別の本編の選択方法を、図１２〜図１４に基づき説明する。
図１２はディスク内のコンテンツ情報であるビデオ・タイトル・セット・メニュー・プログラム・チェーン情報ユニット・テーブル（ＶＴＳＭ＿ＰＧＣＩ＿ＵＴ）８０の構成を示し、図１３はビデオ・タイトル・セット・メニュー・言語ユニット・サーチポインタ（ＶＴＳＭ＿ＬＵ＿ＳＲＰ）９０の構成を示す。
【００６５】
ビデオ・タイトル・セット・メニュー・プログラム・チェーン情報ユニット・テーブル（ＶＴＳＭ＿ＰＧＣＩ＿ＵＴ）８０はビデオ・タイトル・セット（ＶＴＳＩ）６０の中に含まれ、またビデオ・タイトル・セット・メニュー・言語ユニット・サーチポインタ（ＶＴＳＭ＿ＬＵ＿ＳＲＰ）９０はビデオ・タイトル・セット・メニュー・プログラム・チェーン情報ユニット・テーブル（ＶＴＳＭ＿ＰＧＣＩ＿ＵＴ）８０の中に含まれる。
【００６６】
この選択方法は、ビデオ・タイトル・セット・メニュー・言語ユニット・サーチポインタ（ＶＴＳＭ＿ＬＵ＿ＳＲＰ）９０のビデオ・タイトル・セット・メニュー言語コード（ＶＴＳＭ＿ＬＣＤ）９１の中で、使用者が予め指定しておき、再生装置１００の第２記憶部（ＲＡＭ）１０５に保存しておいた言語コードで記録されているタイトルを本編として選択する方法である（請求項６に記載の内容に対応）。
【００６７】
図１４はビデオ・タイトル・セット・メニュー・言語ユニット・サーチポインタ（ＶＴＳＭ＿ＬＵ＿ＳＲＰ）９０のビデオ・タイトル・セット・メニュー言語コード（ＶＴＳＭ＿ＬＣＤ）９１の中で、使用者が予め指定しておき、再生装置１００の第２記憶部（ＲＡＭ）１０５に保存しておいた言語コードでもって記録されているタイトルを、本編として選択する方法を示すフローチャートである。
【００６８】
すなわち、この選択方法では、まず変数ｎに１を代入し（Ｓ０３４）、ビデオ・タイトル・セット・メニュー・言語ユニット・サーチポインタ＃ｎ（ＶＴＳＭ＿ＬＵ＿ＳＲＰ＃ｎ）のビデオ・タイトル・セット・メニュー言語コード（ＶＴＳＭ＿ＬＣＤ）が、使用者が選択した言語コードと同一であれば（Ｓ０３５）、本編はビデオ・タイトル・セット・メニュー・言語ユニット・サーチポインタ＃ｎ（ＶＴＳＭ＿ＬＵ＿ＳＲＰ＃ｎ）のタイトルとする（Ｓ０３８）。ビデオ・タイトル・セット・メニュー・言語ユニット・サーチポインタ＃ｎ（ＶＴＳＭ＿ＬＵ＿ＳＲＰ＃ｎ）のビデオ・タイトル・セット・メニュー言語コード（ＶＴＳＭ＿ＬＣＤ）が、使用者が選択した言語コードと同一でなければ（Ｓ０３５）、ビデオ・タイトル・セット・メニュー・言語ユニット・サーチポインタ＃ｎ＋１（ＶＴＳＭ＿ＬＵ＿ＳＲＰ＃ｎ＋１）が存在するか否かを確認し（Ｓ０３６）、ビデオ・タイトル・セット・メニュー・言語ユニット・サーチポインタ＃ｎ＋１（ＶＴＳＭ＿ＬＵ＿ＳＲＰ＃ｎ＋１）が存在すれば変数ｎを１だけ増やし、そのビデオ・タイトル・セット・メニュー言語コード（ＶＴＳＭ＿ＬＣＤ）と使用者が選択した言語コードとを比較する。一方、ビデオ・タイトル・セット・メニュー・言語ユニット・サーチポインタ＃ｎ＋１（ＶＴＳＭ＿ＬＵ＿ＳＲＰ＃ｎ＋１）が存在しなければ本編はビデオ・タイトル・セット・メニュー・言語ユニット・サーチポインタ＃ｎ（ＶＴＳＭ＿ＬＵ＿ＳＲＰ＃ｎ）のタイトルとする（Ｓ０３８）。
【００６９】
このとき、使用者が予め指定しておいた言語コードで記録されているタイトルが２つ以上ある場合、上述した場合と同様に、使用者が予め指定しておいた言語で記録されているタイトルの中で再生時間が最も長いタイトルを本編として選択する。
【００７０】
なお、選択条件としては上述したもの以外にも、コンテンツのタイム・マップであるビデオ・タイトル・セット・タイム・マップ＃ｎ（ＶＴＳ＿ＴＭＡＰ＃ｎ）が読み取れなかった場合などに、使用者が予め指定しておいた言語で記録されているタイトルの中で、再生時間が最も長いタイトルを本編として選択するようにしてもよい。
【００７１】
さらに、別の選択方法について説明する。
すなわち、上述したビデオ・タイトル・セット・タイム・マップ＃ｎ（ＶＴＳ＿ＴＭＡＰ＃ｎ）より取得したタイトルの再生時間が最も長いタイトルをコンテンツの本編として選択する方法、ビデオ・タイトル・セット・タイム・マップ＃１（ＶＴＳ＿ＴＭＡＰ＃１）の先頭のタイトルを本編として選択する方法、使用者が予め指定しておいた言語コードで記録されているタイトルを本編と選択する方法については、下記の方法が考えられる。
【００７２】
例えば、使用者が選択方法を決定しておき、その選択方法で本編を選択する方法である。
また、上述したビデオ・タイトル・セット・タイム・マップ＃ｎ（ＶＴＳ＿ＴＭＡＰ＃ｎ）より取得したタイトルの再生時間が最も長いタイトルをコンテンツの本編として選択する方法、上述したビデオ・タイトル・セット・タイム・マップ＃１（ＶＴＳ＿ＴＭＡＰ＃１）の先頭のタイトルを本編と選択する方法、使用者が予め指定しておいた言語コードで記録されているタイトルを本編と選択する方法に対して、優先順位を決めておく方法である（請求項７に記載の内容に対応）。
【００７３】
また、上述したビデオ・タイトル・セット・タイム・マップ＃ｎ（ＶＴＳ＿ＴＭＡＰ＃ｎ）より取得したタイトルの再生時間が最も長いタイトルをコンテンツの本編として選択する方法で決定できなかった場合、ビデオ・タイトル・セット・タイム・マップ＃１（ＶＴＳ＿ＴＭＡＰ＃１）の先頭のタイトルを本編として選択する方法である。
【００７４】
また、使用者が予め指定しておいた言語コードで記録されているタイトルを本編と選択する方法で決定できなかった場合、ビデオ・タイトル・セット・タイム・マップ＃１（ＶＴＳ＿ＴＭＡＰ＃１）の先頭のタイトルを本編として選択する方法がある。
【００７５】
また、使用者が予め指定しておいた言語コードで記録されているタイトルの中で、ビデオ・タイトル・セット・タイム・マップ＃ｎ（ＶＴＳ＿ＴＭＡＰ＃ｎ）より取得したタイトルの再生時間が最も長いタイトルをコンテンツの本編として選択する方法である。
【００７６】
また、使用者が予め指定しておいた言語コードで記録されているタイトルを本編と選択する方法で決定できなかった場合、ビデオ・タイトル・セット・タイム・マップ＃ｎ（ＶＴＳ＿ＴＭＡＰ＃ｎ）より取得したタイトルの再生時間が最も長いタイトルをコンテンツの本編として選択する方法を実施し、この方法で本編のタイトルが見つからなかった場合で、しかも使用者が予め指定しておいた言語コードで記録されているタイトルが見つからなかった場合に、ビデオ・タイトル・セット・タイム・マップ＃１（ＶＴＳ＿ＴＭＡＰ＃１）の先頭のタイトルを本編として選択する方法を利用し、使用者が予め指定しておいた言語コードで記録されているタイトルは見つかったが、ビデオ・タイトル・セット・タイム・マップ＃ｎ（ＶＴＳ＿ＴＭＡＰ＃ｎ）より取得したタイトルの再生時間が最も長いタイトルが２つ以上ある場合、先に一致したタイトルを本編とする方法である。
【００７７】
さらに、ビデオ・タイトル・セット・タイム・マップ＃ｎ(ＶＴＳ＿ＴＭＡＰ＃ｎ)より取得したタイトルの再生時間が最も長いタイトルをコンテンツの本編として選択する方法、ビデオ・タイトル・セット・タイム・マップ＃１（ＶＴＳ＿ＴＭＡＰ＃１）の先頭のタイトルを本編と選択する方法、使用者が予め指定しておいた言語コードで記録されているタイトルを本編として選択する方法の組み合わせの条件については、上述したものに限定されずに、ビデオ・タイトル・セット・タイム・マップ＃ｎ（ＶＴＳ＿ＴＭＡＰ＃ｎ）より取得したタイトルの再生時間が最も長いタイトルをコンテンツの本編として選択する方法、および使用者が予め指定しておいた言語コードで記録されているタイトルを本編として選択する方法により共に決定できなかった場合に、ビデオ・タイトル・セット・タイム・マップ＃１（ＶＴＳ＿ＴＭＡＰ＃１）の先頭のタイトルを本編として選択する方法もある。
【００７８】
次に、上記再生装置１００での電源切断時の動作について説明する。
上記再生装置１００において、操作モード５０における通常操作モード５１、簡易機能モード５２、簡易操作モード５３および機能カスタマイズモード５４での各情報（内容）については、第２記憶部（ＲＡＭ）１０４に一時的に保存されており、再生装置１００の電源を落とす際には、第１記憶部（ＲＯＭ、不揮発性メモリである）１０３に保存される（請求項８に記載の内容に対応）。
【００７９】
そして、次回の再生装置１００の起動時に、制御部１０１は第１記憶部１０３から前回の操作モード情報を読み取り、前回の操作モードに基づき再生装置１００を動作させる。
また、メニューコンテンツの有・無の決定を行った再生装置１００で、ディスク１０７にメニューコンテンツが有ると、当該メニューコンテンツにて使用者のキー操作が要求されるが、操作モード５０が簡易操作モード５３である場合、制御部１０１が使用者のキー操作を受け付けない操作があるため、本編の再生が開始されない場合がある。
【００８０】
このとき、再生装置１００は、上記第１〜第３フローチャートのいずれかに示した手順で動作するが、それぞれの動作において、まずディスク１０７の再生が始まり（Ｓ０１２）、メニューコンテンツの有・無が判断され（Ｓ０１３）、そしてメニュー画面に移行するとき（Ｓ０１４）、操作モード５０は簡易操作モード５３から通常操作モード５１に自動にて切り替わる。
【００８１】
この場合、制御部１０１は、第１記憶部１０３に、切り替わる前の操作モード情報を保存しておき、第１記憶部１０３から通常操作モード５１の情報を読み出すとともにメニュー画面に移行し（Ｓ０１４）、そして簡易操作モード５３である場合に限り、使用者から操作されたと判断して自動で本編が再生される（Ｓ０１７）。本編の再生後、制御部１０１は、第１記憶部１０３から切り替える前の操作モード情報を読み出し、切り替える前の操作モードに切り替える。
【００８２】
また、この動作に限らず、他にも使用者が現状の操作モードを保存したい場合に、キー操作にて再生装置１００の第２記憶部１０４に一時保存されている現状の操作モード情報を第１記憶部１０３に保存しておき、使用者が希望した場合に、保存された操作モード情報を第１記憶部１０３から第２記憶部１０４へ書き込むこともできる。
【００８３】
上述したように、操作モード５０において、通常操作モード５１、簡易機能モード５２、簡易操作モード５３および機能カスタマイズモード５４の各情報は、再生装置１００の第２記憶部１０４に一時的に保存されており、したがって再度操作モードを読み出す必要性が無い場合には、操作モードの情報は第２記憶部１０４に一時的に保存された状態になっている。
【００８４】
しかし、このような状態に限られず、他にも簡易操作モード５３では行うことができない操作を、ディスク１０７が要求する場合、一時的に、モードが切り替えられる。
この場合、切り替える前の操作モードを第２記憶部１０４に一時的に保存しておき、操作モードを切り替えて通常操作モード５１に戻し、ディスクから要求されている操作を行い、そして操作が終わった後、第２記憶部１０４に保存されている切り替える前の操作モード情報を呼び出し、元の操作モードに戻すようにしてもよい（請求項９に記載の内容に対応）。
【００８５】
次に、操作モードの表示装置への表示および使用者への通知について説明する。
上述したように、ディスク１０７に記録されているコンテンツに応じて、再生装置１００の操作モード５０が簡易操作モード５３になっていれば、制御部１０１はコンテンツのデータ解析を行い、解析した結果により本来必要とされる操作の一部を判断してその動作を決定し、使用者のキー入力が受け付けられないように（排除）される。この操作モード情報は、通常、再生装置１００の第２記憶部１０４に一時的に保存されている。
【００８６】
そして、再生装置１００は、すなわち制御部１０１は使用者のキー操作等により、現在、選択されている操作モード情報を表示装置２０に表示する（請求項１０に記載の内容に相当する）。
【００８７】
図１５に、表示装置２０に表示される操作モード情報の一例を示す。この操作モード情報の表示については、再生装置１００が起動した状態で、使用者が希望した場合に、所定のキー操作にて行うことができる。
【００８８】
また、上記の表示に限らず、再生装置１００の起動時に、前回保存されその起動時に読み出される操作モード５０を、自動で表示装置２０に表示することもできる。
次に、コンテンツに応じて、キー操作が必要と判断された場合に、その操作モードを自動で切り替える場合について説明する（請求項１１に記載の内容に対応）。
【００８９】
上記再生装置１００において、メニューコンテンツの有・無の判断が行われた際に、ディスク１０７にメニューコンテンツが含まれている場合、ディスク１０７は、すなわち制御部１０１は、メニューコンテンツで使用者のキー操作を要求する。しかし、簡易操作モード５３においては、使用者のキー操作を受け付けない（操作が排除された）キーが存在するため、本編の再生が開始されない場合がある。
【００９０】
この場合、再生装置１００は、上記第１〜第３フローチャートのいずれかに示したように動作するが、それぞれの動作において、ディスク１０７の再生が始まり（Ｓ０１２）、メニューコンテンツの有・無の判断が行われて（Ｓ０１３）メニュー画面に移行するとき（Ｓ０１４）、操作モード５０は簡易操作モード５３から通常操作モード５１に自動で切り替わるようにされている。
【００９１】
このとき、制御部１０１は、第２記憶部１０４に切り替わる前の操作モード情報を保存しておき、第２記憶部１０４から通常操作モード５１を読み出し、メニュー画面に移行し（Ｓ０１４）、そして簡易操作モード５３の場合に限り、使用者から操作されたと判断して、自動で本編が再生される（Ｓ０１７）。
【００９２】
勿論、制御部１０１には、上述したように、ディスク１０７に記録されたコンテンツに応じて、キー操作の要否を判断する機能、および再生動作の過程でキー入力が必要とされた場合に、操作モードを自動で切り替えるための手段、すなわち機能（例えば、プログラムなどで構成される）が具備されている。
【００９３】
この場合の本編の選択方法としては、上述した各方法、例えば再生時間が最も長いタイトルを選択する方法、先頭に記録されているタイトルを選択する方法、タイトルの言語が予め設定されている言語に一致するものを選択する方法、および上記各選択方法に優先順位を付けて選択する方法のいずれかが用いられる。
【００９４】
そして、本編の再生後、制御部１０１は、第２記憶部１０４から前の操作モード情報を読み出し、切り替える前の操作モードに切り替える。
なお、上述したように、自動で本編を再生するのではなく、通常操作モード５１に切り替わった状態で、使用者からのキー操作を待って再生を行うようにしてもよい。
【００９５】
上記説明においては、操作モード５０が簡易操作モード５３である場合で且つメニューコンテンツが有る場合、再生装置１００は、メニューコンテンツで、その操作モード５０を簡易操作モード５３から通常操作モード５１に自動で切り替える。また、メニューコンテンツから本編へ移動すると、再度、操作モード５０は、通常操作モード５１から簡易操作モード５３に自動で切り替えられる。
【００９６】
このとき、制御部１０１は、図１５に示すように、操作モードの切り替えを表示装置２０に表示することにより、使用者に通知する（請求項１２に記載の内容に対応する）。
このときの動作を図１７に基づき説明する。
【００９７】
図１７は、ディスク１０７に記録されたコンテンツに応じて操作モード５０が、簡易操作モード５３から通常操作モード５１へ自動で切り替わる場合に、また、簡易操作モード５３から通常操作モード５１へ自動で切り替わる場合に、操作モード情報の切り替えを通知する際のフローチャートである。
【００９８】
すなわち、ディスク１０７を再生し（Ｓ０３９）、当該ディスク１０７にメニューコンテンツが無い場合に（Ｓ０４０）、本編を再生する（Ｓ０４１）。
一方、ディスク１０７にメニューコンテンツが有る場合（Ｓ０４０）、メニュー画面を表示する（Ｓ０４２）。
【００９９】
そして、本編の再生開始前にモード切り替えを通知し（Ｓ０４３）、本編の再生を開始する（Ｓ０４４）。
本編の再生開始後、操作モードが元に戻る場合に、モードの切り替えを通知する（Ｓ０４５）。このとき、表示装置２０に表示する表示例は図１５のようになる。また、表示しない状態の表示装置２０は図１のようになる。
【０１００】
これに限らず、操作モード５０が簡易操作モード５３の場合でメニューコンテンツが有る場合、再生装置１００は、メニューコンテンツで操作モード５０を、簡易操作モード５３から通常操作モード５１に自動で切り替え、そしてメニューコンテンツから本編へ移動すると、再度、操作モード５０は、通常操作モード５１から簡易操作モード５３に切り替わるが、このとき、使用者が操作モード５０の切り替えを通知しなくてもよい選択を、キー操作で行っていれば、通知を行わないようにすることもできる。
【０１０１】
ところで、上記再生装置１００において、使用者のキー操作により選択された操作モードに基づき、使用者が操作可能なキー情報と操作不可能なキー情報とを区別して表示装置２０に表示することができる（請求項１３に記載の内容に対応）。図１６に、操作可能なキー情報を表示装置２０に表示した際の一例を示す。
【０１０２】
この他にも、第２記憶部１０４に保存した設定値に基づき、現在の操作モードで、使用者が操作可能なキー情報と操作不可能なキー情報とを区別して、表示装置２０に表示することもできる。
【０１０３】
さらに、上記再生装置１００において、通常操作モード５１や簡易操作モード５３で制御している場合、ディスク１０７におけるメニューコンテンツの有・無の判断時に、メニューコンテンツ「有」と判断された場合、使用者の選択により、メニューコンテンツで操作可能なキー情報を表示装置２０に表示して使用者に通知するようにしてもよい（請求項１４に記載の内容に対応）。
【０１０４】
この場合の動作を、図１８に基づき説明する。
図１８は、ディスク１０７に記録されたコンテンツに応じて、キー入力が要求された場合に、選択された操作モードで操作可能なキー情報を通知するためのフローチャートである。
【０１０５】
すなわち、再生装置１００は、ディスク１０７を再生し（Ｓ０４６）、当該ディスク１０７にメニューコンテンツが無い場合（Ｓ０４７）、本編を再生する（Ｓ０４８）。一方、ディスク１０７にメニューコンテンツが有る場合（Ｓ０４７）、メニュー画面を表示し（Ｓ０４９）、そのメニューコンテンツでの操作可能なキーを表示装置２０に表示する（Ｓ０５０）。
【０１０６】
図１６に、操作可能なキー情報を表示装置２０に表示した際の一例を示し、表示しない場合は、図１のようになる。
この他に、再生装置１００が通常操作モード５１や簡易機能モード５２にて制御している場合、ディスク１０７におけるメニューコンテンツの有・無を判断し、メニューコンテンツ「有」と判断された場合、使用者の選択によりメニューコンテンツでの操作可能なキー情報を表示装置２０に表示し、使用者に通知し得るようにしてもよい。
【０１０７】
上述した本実施の形態に係るコンテンツ再生装置および再生方法によると、操作モードに応じて使用可能なキーを使用者が選択できるとともに、コンテンツの内容に応じて、制御部が、使用可能なキーを決定することができるので、例えば使用者の熟練度に応じたキー操作が可能となり、利便性が向上する。
【０１０８】
また、操作モードについても、その途中で、他の最適な操作モードに自動で切り替えるようにしたので、機器の動作状況に応じた適切な操作を行うことができる。
さらに、各操作モードにおいて、使用可能なキーを表示し得るようにしたので、その都度、複雑な操作説明書を読む必要がなく、使い勝手が向上する。
【０１０９】
言い換えると、使用者のキー操作を簡易なものにすることで、使用意図と反した動作になってしまうことを防止し、また入力補助を行うことで使用者の利便性の向上を図ることができる。また、使用者の慣れや趣向に応じて、キー操作の簡易レベルを切り替えることにより、複数の使用者が機器を共有した場合にも、操作性を維持し、違和感の低減化を図り得る。また、機器製作者側は、操作説明書において、複雑な操作説明を行うことが不要となるため、簡略化により書類の量を低減化することができる。
【産業上の利用可能性】
【０１１０】
本発明に係るコンテンツ再生装置として、光ディスクの再生装置を示したが、光ディスク以外にもハードディスクなどの記録媒体に記録されたコンテンツを再生する装置にも適用することができ、例えば記録媒体がＳＤカードやＰＣカードなどのメモリカードである場合にも、適用することができる。さらに、他のディジタル機器、ネットワークＡＶサーバなどにも適用することができる。
【図面の簡単な説明】
【０１１１】
【図１】本発明の実施の形態に係るコンテンツ再生装置を用いたコンテンツ再生システムの概略全体構成を示す図である。
【図２】本発明の実施の形態に係るコンテンツ再生装置の概略構成を示すブロック図である。
【図３】同再生装置にて選択可能な操作モードを示す図である。
【図４】同コンテンツ再生装置におけるメニューコンテンツの有無の判断手順を示すフローチャートである。
【図５】同コンテンツ再生装置での光ディスク再生中におけるメニューコンテンツの有・無の判断手順を示すフローチャートである。
【図６】同再生装置での光ディスクを再生する場合の第１フローチャートである。
【図７】同再生装置での光ディスクを再生する場合の第２フローチャートである。
【図８】同再生装置での光ディスクを再生する場合の第３フローチャートである。
【図９】同光ディスク内のビデオ・タイトル・セットの構成を示す図である。
【図１０】同光ディスク内のビデオ・タイトル・セット・タイム・マップ・テーブルの構成を示す図である。
【図１１】同再生装置での再生時間が最も長いタイトルをコンテンツの本編として選択する場合のフローチャートである。
【図１２】同ディスク内のビデオ・タイトル・セット・メニュー・プログラム・チェーン情報ユニット・テーブルの構成を示す図である。
【図１３】同ディスク内のビデオ・タイトル・セット・メニュー・言語ユニット・サーチポインタの構成を示す図である。
【図１４】同再生装置における使用者が予め指定した言語コードで記録されているタイトルを本編として選択する場合のフローチャートである。
【図１５】同再生装置での表示装置に表示される操作モード情報の一例を示す図である。
【図１６】同再生装置での表示装置に表示される操作可能なキー情報の一例を示す図である。
【図１７】同再生装置における操作モードの切り替え情報が表示装置に表示される場合のフローチャートである。
【図１８】同再生装置における操作可能なキー情報が表示装置に表示される場合のフローチャートである。
【符号の説明】
【０１１２】
１０      リモコン
２０      表示装置
３０      スピーカ
４０      ディスクトレイ
５０      操作モード
５１      通常操作モード
５２      簡易機能モード
５３      簡易操作モード
５４      機能カスタマイズモード
６０      ビデオ・タイトル・セット
７０      ビデオ・タイトル・セット・タイム・マップ・テーブル
８０      ビデオ・タイトル・セット・メニュー・プログラム・チェーン情報ユニット・テーブル
９０      ビデオ・タイトル・セット・メニュー・言語ユニット・サーチポインタ
９１      ビデオ・タイトル・セット・メニュー言語コード
１００    コンテンツ再生装置
１０１    制御部
１０２    本体キー部
１０３    第１記憶部
１０４    第２記憶部
１０５    制御バス
１０６    データ処理部
１０７    光ディスク
１０８    ピックアップ
１０９    ディスクコントローラ
【図１】
2006134451.tif 000003
【図２】
2006134451.tif 000004
【図３】
2006134451.tif 000005
【図４】
2006134451.tif 000006
【図５】
2006134451.tif 000007
【図６】
2006134451.tif 000008
【図７】
2006134451.tif 000009
【図８】
2006134451.tif 000010
【図９】
2006134451.tif 000011
【図１０】
2006134451.tif 000012
【図１１】
2006134451.tif 000013
【図１２】
2006134451.tif 000014
【図１３】
2006134451.tif 000015
【図１４】
2006134451.tif 000016
【図１５】
2006134451.tif 000017
【図１６】
2006134451.tif 000018
【図１７】
2006134451.tif 000019
【図１８】
2006134451.tif 000020